(57)【要約】【課題】毛、皮脂、および皮膚等が除毛器具に再付着するのを抑制する除毛器具洗浄装置を提供する。【解決手段】除毛器具洗浄装置１は、液体収容部２０、洗浄液タンク３０、ポンプ３２、および制御部１９を有する。除毛器具洗浄装置１は、除毛刃部１３０が液体収容部２０に位置する形態で除毛器具１００を配置する構造を有する。液体収容部２０は、注液口２１、オーバーフロー部２３を有する。ポンプ３２は、洗浄液タンク３０が貯蔵する洗浄液３１を注液口２１から液体収容部２０に供給する。液体収容部２０は、貯留する洗浄液３１の水位がオーバーフロー面２４に達するとき、液体排出空間２５から洗浄液３１を排出する。オーバーフロー面２４は、高さ方向において除毛刃部１３０とトリマー部１４０の中間に位置する。【選択図】図２
2014230666.tif 000002
【特許請求の範囲】
【請求項１】
ヘッド部を有する除毛器具の除毛器具洗浄装置であって、
前記ヘッド部は、除毛刃部およびトリマー部を有し、
前記除毛器具洗浄装置は、洗浄槽、洗浄液タンク、ポンプ、および注液部を有し、
前記洗浄槽は、液体収容部を有し、前記除毛刃部が前記液体収容部に位置する形態で前記除毛器具を支持する構造を有し、
前記トリマー部は、前記除毛刃部が前記液体収容部に位置する形態で前記除毛刃部の高さ方向における上方に位置し、
前記液体収容部は、オーバーフロー部を有し、
前記洗浄液タンクは、洗浄液を貯蔵し、
前記ポンプは、前記洗浄液タンクが貯蔵する前記洗浄液を前記注液部に供給し、
前記注液部は、前記洗浄液タンクから供給された前記洗浄液を前記液体収容部に供給し、
前記オーバーフロー部は、オーバーフロー面を有し、
前記オーバーフロー面は、前記液体収容部と連通し、
前記除毛器具洗浄装置は、前記オーバーフロー面が、高さ方向において前記除毛刃部と前記トリマー部の中間に位置する
除毛器具洗浄装置。
【請求項２】
前記除毛器具洗浄装置は、前記洗浄槽の内側壁面に噴出用流路を有し、
前記噴出用流路は、複数の噴出孔を有し、
前記複数の噴出孔は、前記洗浄液を前記液体収容部に噴出する
請求項１に記載の除毛器具洗浄装置。
【請求項３】
前記除毛器具洗浄装置は、前記洗浄液タンクから前記注液部に供給する前記洗浄液の流量を少なくとも２段階で変更する
請求項１または２に記載の除毛器具洗浄装置。
【請求項４】
前記液体収容部は、上位オーバーフロー部を有し、
前記上位オーバーフロー部は、高さ方向において前記オーバーフロー部の上方に位置する
請求項１〜３のいずれか一項に記載の除毛器具洗浄装置。
【請求項５】
前記オーバーフロー部は、液体排出空間を有し、
前記液体排出空間は前記オーバーフロー面の上方に位置し、
前記除毛器具洗浄装置は、前記噴出孔が前記液体排出空間の前記液体収容部側端部に向けて前記洗浄液を噴射する
請求項２および請求項２を引用する請求項３または４に記載の除毛器具洗浄装置。
【請求項６】
前記除毛器具洗浄装置は、前記洗浄槽の内側壁面に高さ方向における位置が異なる少なくとも２つ以上の前記噴出用流路を有する
請求項２および請求項２を引用する請求項３〜５のいずれか一項に記載の除毛器具洗浄装置。
【請求項７】
前記除毛器具洗浄装置は、制御部を有し、
前記制御部は、前記注液部が前記液体収容部に前記洗浄液を注入するよりも前に前記除毛刃部を振動動作させる
請求項１〜６のいずれか一項に記載の除毛器具洗浄装置。
【発明の詳細な説明】
【技術分野】
【０００１】
本発明は、除毛器具洗浄装置に関する。
【背景技術】
【０００２】
従来の除毛器具洗浄装置は、除毛器具のヘッド部を洗浄液に浸した状態で除毛刃部を駆動させる。特許文献１は、従来の除毛器具洗浄装置の一例を開示している。
除毛器具洗浄装置としてのひげそり器用の洗浄装置は、貯蔵容器および貯蔵容器の下方に貯蔵容器と一体形成された洗浄レセプタクルを有する。ひげそり器用の洗浄装置は、ひげそり器の洗浄を行なうとき、ヘッド部が洗浄レセプタクルに位置する形態でひげそり器を支持する。ひげそり器用の洗浄装置は、貯蔵容器が格納する洗浄流体が洗浄レセプタクルに供給される。ひげそり器は、ヘッド部が洗浄レセプタクル内で洗浄流体に浸された状態で洗浄動作が行われる。
【先行技術文献】
【特許文献】
【０００３】
【特許文献１】特表２００６−５２１８４６号公報
【発明の概要】
【発明が解決しようとする課題】
【０００４】
本願発明者は、ひげそり器用の洗浄装置が次の課題を有することを見出した。
ひげそり器用の洗浄装置は、ひげそり器の洗浄を行なうとき、ひげそり器のヘッド部内に堆積している毛、除毛時に脱落した皮脂、および皮膚等を除去して洗浄流体内に排出する。排出された毛、皮脂、および皮膚等は、洗浄流体内を浮遊して、ひげそり器のヘッド部の内面および外面に再付着する場合がある。このため、ひげそり器は、洗浄動作後においてもヘッド部に毛、皮脂、および皮膚等が付着した状態となる場合がある。このため、従来の除毛器具洗浄装置は、洗浄動作時にヘッド部から排出された毛、皮脂、および皮膚等が除毛器具に再付着することを抑制する点において改善の余地を有する。
【０００５】
本発明は、以上の背景をもとに創作されたものであり、毛、皮脂、および皮膚等が除毛器具に再付着するのを抑制する除毛器具洗浄装置を提供することを目的とする。
【課題を解決するための手段】
【０００６】
本手段は、「ヘッド部を有する除毛器具の除毛器具洗浄装置であって、前記ヘッド部は、除毛刃部およびトリマー部を有し、前記除毛器具洗浄装置は、洗浄槽、洗浄液タンク、ポンプ、および注液部を有し、前記洗浄槽は、液体収容部を有し、前記除毛刃部が前記液体収容部に位置する形態で前記除毛器具を支持する構造を有し、前記トリマー部は、前記除毛刃部が前記液体収容部に位置する形態で前記除毛刃部の高さ方向における上方に位置し、前記液体収容部は、オーバーフロー部を有し、前記洗浄液タンクは、洗浄液を貯蔵し、前記ポンプは、前記洗浄液タンクが貯蔵する前記洗浄液を前記注液部に供給し、前記注液部は、前記洗浄液タンクから供給された前記洗浄液を前記液体収容部に供給し、前記オーバーフロー部は、オーバーフロー面を有し、前記オーバーフロー面は、前記液体収容部と連通し、前記除毛器具洗浄装置は、前記オーバーフロー面が、高さ方向において前記除毛刃部と前記トリマー部の中間に位置する除毛器具洗浄装置」を含む。
【０００７】
上記除毛器具洗浄装置は、液体収容部が貯留する洗浄液の水位がオーバーフロー面に達するとき、液体排出空間から洗浄液を排出する。オーバーフロー面は、高さ方向においてヘッド部の除毛刃部とトリマー部の中間に位置する。このため、除毛器具洗浄装置は、除毛器具の除毛刃部を含むヘッド部の下方部分が洗浄液に浸された状態で洗浄動作を行なう。液体収容部は、注液口からオーバーフロー部に向かう洗浄液の流れを形成する。このため、除毛器具洗浄装置は、除毛器具の洗浄を行なうとき、ヘッド部から洗浄液に排出にされた毛、皮脂、および皮膚等がヘッド部に再付着することを抑制することができる。
【０００８】
上記手段の一形態は、「前記除毛器具洗浄装置は、前記洗浄槽の内側壁面に噴出用流路を有し、前記噴出用流路は、複数の噴出孔を有し、前記複数の噴出孔は、前記洗浄液を前記液体収容部に噴出する除毛器具洗浄装置」を含む。
【０００９】
上記手段の一形態は、「前記除毛器具洗浄装置は、前記洗浄液タンクから前記注液部に供給する前記洗浄液の流量を少なくとも２段階で変更する除毛器具洗浄装置」を含む。
上記手段の一形態は、「前記液体収容部は、上位オーバーフロー部を有し、前記上位オーバーフロー部は、高さ方向において前記オーバーフロー部の上方に位置する除毛器具洗浄装置」を含む。
【００１０】
上記手段の一形態は、「前記オーバーフロー部は、液体排出空間を有し、前記液体排出空間は前記オーバーフロー面の上方に位置し、前記除毛器具洗浄装置は、前記噴出孔が前記液体排出空間の前記液体収容部側端部に向けて前記洗浄液を噴射する除毛器具洗浄装置」を含む。
【００１１】
上記手段の一形態は、「前記除毛器具洗浄装置は、前記洗浄槽の内側壁面に高さ方向における位置が異なる少なくとも２つ以上の前記噴出用流路を有する除毛器具洗浄装置」を含む。
【００１２】
上記手段の一形態は、「前記除毛器具洗浄装置は、制御部を有し、前記制御部は、前記注液部が前記液体収容部に前記洗浄液を注入するよりも前に前記除毛刃部を振動動作させる除毛器具洗浄装置」を含む。
【発明の効果】
【００１３】
本除毛器具洗浄装置は、毛、皮脂、および皮膚等が除毛器具に再付着するのを抑制することに貢献する。
【図面の簡単な説明】
【００１４】
【図１】は、第１実施形態の除毛器具洗浄装置の斜視図を示す。
【図２】は、第１実施形態の除毛器具洗浄装置に除毛器具が挿入された状態の１Ｘ−１Ｘ平面の断面構造を示す。
【図３】は、第１実施形態の除毛器具洗浄装置の洗浄処理フローチャートを示す。
【図４】は、第２実施形態の除毛器具洗浄装置の斜視図を示す。
【図５】は、第２実施形態の除毛器具洗浄装置に除毛器具が挿入された状態の４Ｘ−４Ｘ平面の断面構造を示す。
【図６】は、第３実施形態の除毛器具洗浄装置に除毛器具が挿入された状態の断面構造を示す。
【図７】は、第４実施形態の除毛器具洗浄装置に除毛器具が挿入された状態の断面構造を示す。
【図８】は、第５実施形態の洗浄処理フローチャートを示す。
【発明を実施するための形態】
【００１５】
（第１実施形態）
図１を参照して、除毛器具洗浄装置１の構成について説明する。
除毛器具１００の洗浄装置としての除毛器具洗浄装置１は、筐体１０の中央部に空間を形成する洗浄槽２を有する。除毛器具洗浄装置１は、筐体１０の前面上部に操作部１３、および表示部１４を有する。除毛器具洗浄装置１は、電源コード４を介して電源コンセント５が接続される。
【００１６】
洗浄槽２は、空間を形成する内側壁面部を有する。洗浄槽２は、開口３を有する。洗浄槽２は、高さ方向における下側の領域に液体収容部２０を有する。
筐体１０は、背面から上方に延びる除毛器具配置部としてのスタンド部１２を有する。スタンド部１２は、洗浄槽２の内側壁面の方向の壁面に、通気窓１５および接触端子１６を有する。
【００１７】
図２を参照して、除毛器具１００および除毛器具洗浄装置１の構成について説明する。
除毛器具１００は、把持部１１０、ヘッド部１２０を有する。ヘッド部１２０は、除毛刃部１３０、およびトリマー部１４０を有する。除毛刃部１３０は、外刃および外刃の内部に内刃を有する。トリマー部１４０は、非使用時にヘッド部１２０の内部に収容されるトリマー刃を有する。
【００１８】
除毛器具１００は、除毛刃部１３０の内刃が往復直線運動を繰返す往復振動動作を行なうことで、外刃のスリットに挿入される体毛を切断する。
除毛器具１００は、ヘッド部１２０の除毛刃部１３０が液体収容部２０に向く様態で洗浄槽２に挿入される。
【００１９】
除毛器具洗浄装置１は、ヘッド部１２０の除毛刃部１３０が液体収容部２０に位置する形態で除毛器具１００を支持する構造を有する。除毛器具洗浄装置１は、スタンド部１２が除毛器具１００の背面を支持する。除毛器具洗浄装置１は、液体収容部２０が、ヘッド部１２０の除毛刃部１３０を支持する。
【００２０】
スタンド部１２が除毛器具１００の背面を支持するとき、接触端子１６は、除毛器具１００の背面に備えられた背部端子１１１と接触する。背部端子１１１および接触端子１６は、接触することで電気的に接続される。
【００２１】
トリマー部１４０は、除毛刃部１３０が液体収容部２０に位置する形態のとき、ヘッド部１２０において除毛刃部１３０の上方に形成されている。
除毛器具洗浄装置１は、筐体支持部１１、ファン１７、ヒーター１８、洗浄液タンク３０、ポンプ３２、注液部４０、および排液部５０を有する。筐体１０は、筐体支持部１１を覆う構成を有する。筐体１０は、高さ方向にスライド可能に筐体支持部１１に取付けられている。ファン１７、ヒーター１８、ポンプ３２、注液部４０、および排液部５０は、筐体１０に結合されている。洗浄液タンク３０は、筐体１０を上方に移動させることで筐体１０から取り出すことができる。
【００２２】
除毛器具洗浄装置１は、制御部１９を有する。制御部１９は、洗浄処理プログラムを有する。制御部１９は、除毛器具１００の洗浄を行なうとき、洗浄処理プログラムにしたがって、ポンプ３２、ファン１７、ヒーター１８、および排液弁５２の動作を制御する制御信号を出力する。制御部１９は、洗浄処理プログラムにしたがって、接触端子１６を介して制御信号を除毛器具１００に与える。
【００２３】
液体収容部２０は、開口３を通じて挿入された除毛器具１００のヘッド部１２０を受容する。液体収容部２０は、注液口２１、排液口２２、およびオーバーフロー部２３を有する。
【００２４】
注液口２１は、洗浄槽２の内側壁面を開口することにより形成される。注液口２１は、注液部４０の注液用流路４１の端部に繋がっている。排液口２２は、液体収容部２０の底部に形成された開口部である。排液口２２は、排液部５０の排液用流路５１の端部に繋がっている。
【００２５】
オーバーフロー部２３は、オーバーフロー面２４およびオーバーフロー面２４の上方に形成された液体排出空間２５を有する。オーバーフロー面２４は、液体収容部２０と連通する。液体排出空間２５は、洗浄槽２の内側壁面部に形成された開口の空間である。オーバーフロー面２４は、高さ方向において除毛刃部１３０とトリマー部１４０の中間に位置する。
【００２６】
洗浄液タンク３０は、洗浄液３１を貯蔵する。洗浄液タンク３０は、ポンプ３２および濾過フィルタ３３を有する。洗浄液タンク３０は、洗浄液３１として、例えば、水を貯蔵する。
【００２７】
排液部５０は、排液用流路５１に排液弁５２を有する。排液弁５２は、動作状態として遮断状態および排液状態を有する。排液弁５２は、遮断状態において、排液用流路５１の洗浄液３１の流れを遮断する。排液弁５２は、排液状態において、排液用流路５１から洗浄液３１を排液する。
【００２８】
除毛器具１００の洗浄動作について説明する。
使用者は、除毛器具１００を洗浄するとき、ヘッド部１２０が洗浄槽２の底部に向く形態で除毛器具１００を除毛器具洗浄装置１の開口３に挿入する。除毛器具洗浄装置１は、スタンド部１２および液体収容部２０が除毛器具１００を支持する。除毛器具洗浄装置１は、ヘッド部１２０の除毛刃部１３０が液体収容部２０に位置する形態で除毛器具１００を支持する。
【００２９】
ポンプ３２は、洗浄液タンク３０が貯蔵する洗浄液３１を注液用流路４１を介して圧送することで、注液口２１から液体収容部２０に注液する。液体収容部２０は、注液口２１から注液された洗浄液３１を貯留する。除毛器具洗浄装置１は、排液弁５２を遮断状態に設定して液体収容部２０に洗浄液３１を貯留する。液体収容部２０は、排液口２２から排液用流路５１を介しての排液が遮断された状態で洗浄液３１を貯留する。
【００３０】
液体収容部２０は、貯留する洗浄液３１の水位が高さ方向におけるオーバーフロー面２４の位置に達すると、液体排出空間２５が洗浄液３１を洗浄液タンク３０に誘導する。オーバーフロー面２４の位置に達した洗浄液３１は、液体排出空間２５の液体収容部２０側端部から液体排出空間２５に排出される。液体収容部２０の洗浄液３１は、液体排出空間２５を通って液体収容部２０の外部に流れ出る。液体収容部２０の水位は、オーバーフロー面２４の位置に保たれる。液体排出空間２５を通って流れ出る洗浄液３１は、濾過フィルタ３３により濾過されて洗浄液タンク３０に戻される。
【００３１】
オーバーフロー面２４は、高さ方向において除毛器具１００のトリマー部１４０よりも下方に位置する。このため、貯留する洗浄液３１の水位は、トリマー部１４０の下方に保たれる。オーバーフロー面２４は、高さ方向において除毛器具１００の除毛刃部１３０よりも上方に位置する。このため、除毛器具１００は、除毛刃部１３０を含むヘッド部１２０の下方部分が洗浄液３１に浸される。
【００３２】
洗浄液３１の水位がオーバーフロー面２４の高さ方向の位置に達しているとき、液体収容部２０は、注液口２１から注液される洗浄液３１に相当する量を液体排出空間２５から排出する。液体収容部２０は、注液口２１からオーバーフロー部２３に向かう洗浄液３１の流れを形成する。
【００３３】
制御部１９は、液体収容部２０に洗浄液３１の流れが形成されている状態で、除毛刃部１３０の内刃を往復振動動作させて除毛器具１００の洗浄を行なう。除毛器具１００は、内刃が往復振動動作することで、ヘッド部１２０内に堆積している毛、皮脂、および皮膚等を除去して洗浄液３１内に排出する。
【００３４】
毛、皮脂、および皮膚等を含んだ洗浄液３１は、液体収容部２０に形成された洗浄液３１の流れに沿って、液体排出空間２５を通って液体収容部２０の外部に排出される。ヘッド部１２０に堆積する毛、皮脂、および皮膚等の多くは、除毛刃部１３０内に堆積している。除毛器具洗浄装置１は、除毛刃部１３０から排出された毛、皮脂、および皮膚等を、洗浄液３１の流れにのせてスムーズに液体収容部２０の外部に排出する。排出された洗浄液３１に含まれる毛、皮脂、および皮膚等は、濾過フィルタ３３により濾過される。
【００３５】
除毛器具洗浄装置１は、除毛器具１００の洗浄動作が終わると、液体収容部２０の洗浄液３１を排液する動作を行なう。制御部１９は、ポンプ３２による洗浄液３１の圧送を停止した後に排液弁５２を排液状態に切替える。液体収容部２０の洗浄液３１は、排液口２２から排液用流路５１を通って排液される。排液用流路５１から排液される洗浄液３１は、濾過フィルタ３３で濾過されて洗浄液タンク３０に戻される。
【００３６】
除毛器具洗浄装置１は、液体収容部２０の洗浄液３１を排液した後に、ヒーター１８およびファン１７を動作させて除毛器具１００を乾燥させる。ヒーター１８は、液体収容部２０の内部空間を温める。ファン１７は、通気窓１５から液体収容部２０の内部空間に送風する。
【００３７】
図３を参照して、洗浄処理フローの概要を説明する。
除毛器具１００の洗浄を行なうとき、除毛器具洗浄装置１の使用者および制御部１９は、ステップＳ１１〜Ｓ１８の各ステップを順次実行する。
【００３８】
使用者は、ステップＳ１１〜Ｓ１３を順次実行する。使用者は、ステップＳ１１において、洗浄液タンク３０に洗浄液３１を注入する。使用者は、筐体１０を上方に持ち上げて取り出した洗浄液タンク３０に洗浄液３１を注入する。使用者は、ステップＳ１２において、開口３から除毛器具１００を洗浄槽２に挿入する。使用者は、ステップＳ１３において、操作部１３を操作して除毛器具洗浄装置１を始動させる。
【００３９】
除毛器具洗浄装置１が始動すると、制御部１９は、ステップＳ１４〜Ｓ１８を順次実行する。制御部１９は、ステップＳ１４において、洗浄液３１を液体収容部２０に注液させる制御を行なう。制御部１９は、排液弁５２を遮断状態に設定した後にポンプ３２を動作させる。制御部１９は、ステップＳ１５において、除毛器具１００を制御して除毛刃部１３０の内刃を往復振動動作させる。除毛器具１００は、ヘッド部１２０内に堆積している毛、皮脂、および皮膚等を除去して洗浄液３１内に排出する。毛、皮脂、および皮膚等を含む洗浄液３１は、流れに沿ってオーバーフロー部２３から排出される。制御部１９は、ステップＳ１６において、液体収容部２０が貯留する洗浄液３１を排出する制御を行なう。制御部１９は、除毛器具１００の内刃の往復振動動作および除毛器具洗浄装置１のポンプ３２の動作を停止させる制御を行なう。制御部１９は、排液弁５２を排液状態に設定することで液体収容部２０が貯留する洗浄液３１を排液させる。制御部１９は、ステップＳ１７において、洗浄動作の終了を判定する。制御部１９は、ステップＳ１４〜ステップＳ１６から成る洗浄サイクルのサイクル回数があらかじめ決められた値に到達したかを判定する。ステップＳ１７の判定において、サイクル回数があらかじめ決められた値に到達していないとき、制御部１９は、ステップＳ１４〜ステップＳ１７を繰り返す制御を行なう。ステップＳ１７の判定において、サイクル回数があらかじめ決められた値に到達したとき、制御部１９は、ステップＳ１８において、除毛器具１００を乾燥させる制御を行なう。
【００４０】
除毛器具洗浄装置１は、以下の効果を奏する。
（１）除毛器具洗浄装置１は、液体収容部２０が貯留する洗浄液３１の水位がオーバーフロー面２４に達するとき、液体排出空間２５から洗浄液３１を排出する。オーバーフロー面２４は、高さ方向においてヘッド部１２０の除毛刃部１３０とトリマー部１４０の中間に位置する。このため、除毛器具洗浄装置１は、除毛器具１００の除毛刃部１３０を含むヘッド部１２０の下方部分が洗浄液３１に浸された状態で洗浄動作を行なう。液体収容部２０は、注液口２１からオーバーフロー部２３に向かう洗浄液３１の流れを形成する。このため、除毛器具洗浄装置１は、除毛器具１００の洗浄を行なうとき、ヘッド部１２０から洗浄液３１に排出にされた毛、皮脂、および皮膚等がヘッド部１２０に再付着することを抑制することができる。特に、除毛器具洗浄装置１は、洗浄液３１に浸されていないトリマー部１４０を含むヘッド部１２０の上方部分に対する再付着の抑制効果を極めて高くすることができる。
【００４１】
（２）除毛器具洗浄装置１は、液体収容部２０、洗浄液タンク３０、ポンプ３２、および制御部１９を有する。液体収容部２０は、注液口２１、オーバーフロー部２３を有する。オーバーフロー部２３は、オーバーフロー面２４および液体排出空間２５を有する。オーバーフロー面２４は、高さ方向において除毛刃部１３０とトリマー部１４０の中間に位置する。この構成によれば、除毛器具洗浄装置１は、除毛器具１００の除毛刃部１３０を含むヘッド部１２０の下方部分のみを洗浄液３１で浸たす。このため、除毛器具洗浄装置１は、少ない洗浄液３１の量で効果的な洗浄動作を行なうことができる。
【００４２】
（第２実施形態）
第２実施形態の除毛器具洗浄装置６０は、第１実施形態の除毛器具洗浄装置１と比較して以下の部分において異なる構成を有し、その他の部分において同一の構成を有する。第１実施形態の除毛器具洗浄装置１と共通する構成については同一の符号を付して、その説明の一部または全部を省略する。
【００４３】
第１実施形態の除毛器具洗浄装置１は、注液部４０が注液用流路４１を有し、ポンプ３２が圧送する洗浄液３１が注液用流路４１を通って注液口２１から液体収容部２０に注液される。一方、第２実施形態の除毛器具洗浄装置６０は、注液用流路４１に結合された噴出用流路６１を有し、ポンプ３２が圧送する洗浄液３１を噴出用流路６１の噴出孔６２から噴出させる。
【００４４】
図４を参照して、除毛器具洗浄装置６０の構成について説明する。
除毛器具洗浄装置６０は、洗浄槽２の内側壁面に噴出用流路６１を有する。噴出用流路６１は、洗浄槽２の内側壁面に沿った形状を有する。噴出用流路６１は、間隔をおいて形成される複数の噴出孔６２を有する。
【００４５】
図５を参照して、除毛器具１００が挿入された除毛器具洗浄装置６０の構成について説明する。
噴出用流路６１は、注液部４０の注液用流路４１に結合される。噴出用流路６１は、管状を有する。噴出孔６２は、管状の噴出用流路６１の円周方向に回動可能に形成される。噴出孔６２は、噴出用流路６１に圧送された洗浄液３１が噴水状に噴出される大きさの孔径を有する。
【００４６】
除毛器具洗浄装置６０が洗浄動作を行なうとき、ポンプ３２は、洗浄液タンク３０が貯蔵する洗浄液３１を注液用流路４１に圧送する。注液用流路４１に圧送される洗浄液３１は、噴出用流路６１に送られる。
【００４７】
ポンプ３２が洗浄液３１を圧送するとき、噴出用流路６１は、噴出孔６２から洗浄液３１を液体収容部２０に向けて噴出する。噴出孔６２は、除毛器具１００が洗浄槽２に挿入されているとき、除毛器具１００に対して複数の方向から洗浄液３１を噴出する位置に形成されている。噴出孔６２から噴出する洗浄液３１は、噴出孔６２が噴出用流路６１の円周方向に回動することで、除毛器具１００のヘッド部１２０および洗浄液３１表面の向きに噴出される。
【００４８】
制御部１９は、ポンプ３２の駆動能力を２段階に切替えることで圧送する洗浄液３１の流量を２段階で変化させる。制御部１９は、ポンプ３２の駆動能力を２段階に切替える動作を一定周期で繰り返す制御を行なう。制御部１９がポンプ３２の駆動能力を動作状態および停止状態の２段階で切替えるとき、噴出孔６２は、洗浄液３１を間欠的に噴出する。
【００４９】
除毛器具洗浄装置６０は、噴出孔６２から間欠的に洗浄液３１を噴出することで、噴き出す瞬間に強い衝撃力を有する洗浄液３１をヘッド部１２０に向けて噴出することができる。
【００５０】
除毛器具洗浄装置６０は、噴出孔６２から噴出させる洗浄液３１を、液体収容部２０の洗浄液３１がオーバーフロー部２３から流出する領域に向けて噴出させることで、毛、皮脂、および皮膚等を効果的に液体収容部２０の外部に排出することができる。
【００５１】
液体収容部２０は、洗浄液３１が液体排出空間２５を通って排出されるとき、洗浄液３１が流出する液体排出空間２５の液体収容部２０側端部において、洗浄液３１の流れる量が極めて少ない停滞領域を生じることがある。液体収容部２０は、停滞領域が生じるとき、毛、皮脂、および皮膚等を含む洗浄液３１が停滞して、排出されずに停滞領域に留まる現象が生じることがある。
【００５２】
除毛器具洗浄装置６０は、除毛器具１００を洗浄するとき、液体排出空間２５の液体収容部２０側端部に向けて、噴出孔６２から洗浄液３１を噴出する。除毛器具洗浄装置６０は、噴出孔６２が噴出する洗浄液３１が液体排出空間２５の液体収容部２０側端部近傍の洗浄液３１を撹拌する。このため、除毛器具洗浄装置６０は、停滞領域の発生を抑制することができる。このため、除毛器具洗浄装置６０は、洗浄液３１に含まれる毛、皮脂、および皮膚等が液体排出空間２５の液体収容部２０側端部近傍に留まることを抑制することができる。
【００５３】
本実施形態の除毛器具洗浄装置６０は、第１実施形態の除毛器具洗浄装置１が奏する（１）および（２）と同様の効果を奏する。すなわち、毛、皮脂、および皮膚等が除毛器具１００に再付着することを抑制することができる旨の効果および少ない洗浄液３１の量で効果的な洗浄動作を行なうことができる旨の効果を奏する。また、本実施形態の除毛器具洗浄装置６０は、以下の効果を奏する。
【００５４】
（３）除毛器具洗浄装置６０は、洗浄槽２の内側壁面に噴出用流路６１を有する。噴出用流路６１は、間隔をおいて複数の噴出孔６２を有する。噴出孔６２は、除毛器具１００に対して複数の方向から洗浄液３１を噴出する位置に形成される。この構成によれば、除毛器具洗浄装置６０は、除毛器具１００のヘッド部１２０に対して複数の方向から洗浄液３１を噴出することができる。このため、除毛器具洗浄装置６０は、除毛器具１００のヘッド部１２０に周囲から衝撃力の大きな洗浄液３１を噴出することができる。このため、除毛器具洗浄装置６０は、洗浄力を高めることができる。
【００５５】
（４）噴出用流路６１は、管状を有する。噴出孔６２は、管状の噴出用流路６１の円周方向に回動可能に形成される。この構成によれば、除毛器具洗浄装置６０は、除毛器具１００のヘッド部１２０に対する洗浄液３１の噴出角度を変更することができる。このため、除毛器具洗浄装置６０は、除毛器具１００のヘッド部１２０に汚れの状態に合わせて洗浄液３１を噴出することができる。このため、除毛器具洗浄装置６０は、除毛器具１００の多様な位置の汚れを効果的に洗浄することができる。
【００５６】
（５）除毛器具洗浄装置６０は、制御部１９がポンプ３２の駆動能力を２段階に切替える制御を行なう。このため、ポンプ３２が圧送する洗浄液３１の流量は、２段階で変化する。このため、除毛器具洗浄装置６０は、噴出孔６２から洗浄液３１を間欠的に噴出させることができる。このため、除毛器具洗浄装置６０は、噴き出す瞬間に強い衝撃力を有する洗浄液３１をヘッド部１２０に向けて繰り返し噴出することができる。このため、除毛器具洗浄装置６０は、ヘッド部１２０にこびりついた毛、皮脂、および皮膚等に対する洗浄力を高めることができる。
【００５７】
（６）除毛器具洗浄装置６０は、噴出孔６２が、洗浄液３１が流出する液体排出空間２５の液体収容部２０側端部に向けて洗浄液３１を噴出する。このため、除毛器具洗浄装置６０は、噴出孔６２が噴出する洗浄液３１が液体排出空間２５の液体収容部２０側端部近傍の洗浄液３１を撹拌する。このため、除毛器具洗浄装置６０は、洗浄液３１に含まれる毛、皮脂、および皮膚等が停滞領域に留まるのを抑制することができる。このため、除毛器具洗浄装置６０は、毛、皮脂、および皮膚等がヘッド部１２０に再付着することを抑制する効果を高めることができる。
【００５８】
（第３実施形態）
第３実施形態の除毛器具洗浄装置７０は、第２実施形態の除毛器具洗浄装置６０と比較して以下の部分において異なる構成を有し、その他の部分において同一の構成を有する。第２実施形態の除毛器具洗浄装置６０と共通する構成については同一の符号を付して、その説明の一部または全部を省略する。
【００５９】
第２実施形態の除毛器具洗浄装置６０は、液体収容部２０がオーバーフロー部２３を有する。一方、第３実施形態の除毛器具洗浄装置７０は、液体収容部２０がオーバーフロー部２３および上位オーバーフロー部７１を有する。
【００６０】
図６を参照して、除毛器具１００が挿入された除毛器具洗浄装置７０の構成について説明する。
除毛器具洗浄装置７０の液体収容部２０は、オーバーフロー部２３および上位オーバーフロー部７１を有する。上位オーバーフロー部７１は、上位オーバーフロー面７２および上位オーバーフロー面７２の上方に形成された上位液体排出空間７３を有する。上位オーバーフロー面７２は、液体収容部２０と連通する。上位オーバーフロー面７２は、高さ方向においてオーバーフロー面２４の上方に位置する。
【００６１】
液体収容部２０は、貯留する洗浄液３１の水位が高さ方向における上位オーバーフロー面７２の位置に達すると、上位液体排出空間７３が洗浄液３１を洗浄液タンク３０に誘導する。上位オーバーフロー面７２の位置に達した洗浄液３１は、上位液体排出空間７３を通って液体収容部２０の外部に流れ出る。上位液体排出空間７３を通って流れ出る洗浄液３１は、濾過フィルタ３３により濾過されて洗浄液タンク３０に戻される。
【００６２】
除毛器具洗浄装置７０が洗浄動作を行なうとき、ポンプ３２は、洗浄液タンク３０が貯蔵する洗浄液３１を注液用流路４１に圧送する。注液用流路４１に圧送される洗浄液３１は、噴出用流路６１に供給される。
【００６３】
オーバーフロー部２３の液体排出空間２５は、最大排出流量を有する。制御部１９は、ポンプ３２の駆動能力を２段階に切替えることで圧送する洗浄液３１の流量を第１圧送流量および第２圧送流量の２段階で変化させる。ポンプ３２が圧送する流量は、第１圧送流量が液体排出空間２５の最大排出流量よりも小さい。ポンプ３２が圧送する流量は、第２圧送流量が液体排出空間２５の最大排出流量よりも大きい。
【００６４】
ポンプ３２が圧送する流量が第１圧送流量のとき、液体収容部２０が貯留する洗浄液３１の水位は、オーバーフロー面２４の高さ方向における位置に保たれる。
ポンプ３２が圧送する流量が第２圧送流量のとき、液体収容部２０が貯留する洗浄液３１の水位は、オーバーフロー面２４の高さ方向における位置を超える。このとき、液体収容部２０は、上位オーバーフロー部７１が上位オーバーフロー面７２の高さ方向における位置に洗浄液３１の水位を保つ。
【００６５】
制御部１９は、除毛器具洗浄装置７０が洗浄動作を行なうとき、洗浄期間を第１洗浄期間および第２洗浄期間に分割する。制御部１９は、第１洗浄期間における洗浄動作と第２洗浄期間における洗浄動作を連続して行なう。制御部１９は、第１洗浄期間のポンプ３２の圧送流量を第１圧送流量とする。制御部１９は、第２洗浄期間のポンプ３２の圧送流量を第２圧送流量とする。
【００６６】
除毛器具洗浄装置７０は、第１洗浄期間では、オーバーフロー面２４の高さ方向における位置となる洗浄液３１の水位で洗浄動作を行なう。除毛器具洗浄装置７０は、除毛器具１００の除毛刃部１３０を含むヘッド部１２０の下方部分が洗浄液３１に浸された状態で洗浄動作を行なう。除毛器具洗浄装置７０は、洗浄動作において、ヘッド部１２０から排出された毛、皮脂、および皮膚等が除毛器具１００に再付着することを抑制することができる。
【００６７】
除毛器具洗浄装置７０は、第２洗浄期間では、上位オーバーフロー面７２の高さ方向における位置となる洗浄液３１の水位で洗浄動作を行なう。除毛器具洗浄装置７０は、除毛器具１００のヘッド部１２０が第１洗浄期間よりも高さ方向における上方の位置まで洗浄液３１に浸された状態で洗浄動作を行なう。除毛器具洗浄装置７０は、第１洗浄期間で洗浄液３１に浸されなかったヘッド部１２０の上位部を含む洗浄動作を行なう。
【００６８】
本実施形態の除毛器具洗浄装置７０は、第１実施形態の除毛器具洗浄装置１が奏する（１）および（２）、および第２実施形態の除毛器具洗浄装置６０が奏する（３）〜（６）と同様の効果を奏する。また、本実施形態の除毛器具洗浄装置７０は、以下の効果を奏する。
【００６９】
（７）除毛器具洗浄装置７０は、液体収容部２０がオーバーフロー部２３、および上位オーバーフロー部７１を有する。制御部１９は、ポンプ３２の圧送流量が第１圧送流量および第２圧送流量となる制御を行なう。除毛器具洗浄装置７０は、洗浄期間としてポンプ３２の圧送流量が第１圧送流量である第１洗浄期間と、ポンプ３２の圧送流量が第２圧送流量である第２洗浄期間を連続させる。この構成によれば、除毛器具洗浄装置７０は、液体収容部２０が貯留する洗浄液３１の水位が異なる洗浄動作を連続して行なう。このため、除毛器具洗浄装置７０は、毛、皮脂、および皮膚等が除毛器具１００に再付着することが抑制された洗浄と、ヘッド部１２０の高さ方向における上方部分を洗浄する洗浄の両方を行なうことができる。このため、除毛器具洗浄装置７０は、ヘッド部１２０全体を効果的に洗浄することができる。
【００７０】
（第４実施形態）
第４実施形態の除毛器具洗浄装置９０は、第３実施形態の除毛器具洗浄装置７０と比較して以下の部分において異なる構成を有し、その他の部分において同一の構成を有する。第３実施形態の除毛器具洗浄装置７０と共通する構成については同一の符号を付して、その説明の一部または全部を省略する。
【００７１】
第３実施形態の除毛器具洗浄装置７０は、洗浄槽２が内側壁面に噴出用流路６１を有する。一方、第４実施形態の除毛器具洗浄装置９０は、洗浄槽２が内側壁面に噴出用流路６１および上位噴出用流路９１を有する。
【００７２】
図７を参照して、除毛器具１００が挿入された除毛器具洗浄装置９０の構成について説明する。
除毛器具洗浄装置９０は、洗浄槽２の内側壁面に噴出用流路６１および上位噴出用流路９１を有する。上位噴出用流路９１は、洗浄槽２の内側壁面に沿った形状を有する。上位噴出用流路９１は、除毛器具洗浄装置９０の高さ方向において噴出用流路６１の上方に位置する。上位噴出用流路９１は、間隔をおいて形成される複数の上位噴出孔９２を有する。上位噴出用流路９１は、管状を有する。上位噴出孔９２は、管状の上位噴出用流路９１の円周方向に回動可能に形成される。上位噴出孔９２は、上位噴出用流路９１に圧送された洗浄液３１が噴水状に噴出される大きさの孔径を有する。
【００７３】
噴出用流路６１および上位噴出用流路９１は、注液用流路４１に結合される。
除毛器具洗浄装置９０は、ポンプ３２が注液用流路４１を介して洗浄液タンク３０に貯蔵する洗浄液３１を噴出用流路６１および上位噴出用流路９１に圧送する。上位噴出用流路９１は、上位噴出孔９２から液体収容部２０に洗浄液３１を噴出する。
【００７４】
上位噴出用流路９１は、除毛器具１００が洗浄槽２に挿入されているとき、上位噴出孔９２が除毛器具１００に対して複数の方向から洗浄液３１を噴出する位置に形成されている。上位噴出孔９２から噴出する洗浄液３１は、上位噴出孔９２が上位噴出用流路９１の円周方向に回動することで、除毛器具１００のヘッド部１２０および洗浄液３１表面の向きに噴出される。
【００７５】
本実施形態の除毛器具洗浄装置９０は、第１実施形態の除毛器具洗浄装置１が奏する（１）および（２）、第２実施形態の除毛器具洗浄装置６０が奏する（３）〜（６）、および第３実施形態の除毛器具洗浄装置７０が奏する（７）と同様の効果を奏する。また、本実施形態の除毛器具洗浄装置９０は、以下の効果を奏する。
【００７６】
（８）除毛器具洗浄装置９０は、洗浄槽２の内側壁面に噴出用流路６１および上位噴出用流路９１を有する。上位噴出用流路９１は、除毛器具洗浄装置９０の高さ方向において噴出用流路６１の上方に位置する。この構成によれば、除毛器具洗浄装置９０は、除毛器具１００のヘッド部１２０に対して高さ方向における異なる位置から洗浄液３１を噴出することができる。このため、除毛器具洗浄装置９０は、噴出用流路６１の噴出孔６２が噴出する洗浄液３１では洗浄できない場所に対して上位噴出用流路９１の上位噴出孔９２が異なる位置から洗浄液３１を噴出することができる。このため、除毛器具洗浄装置９０は、ヘッド部１２０の広範囲にわたる部分を洗浄を行なうことができる。
【００７７】
（第５実施形態）
第５実施形態の除毛器具洗浄装置１は、第１実施形態の除毛器具洗浄装置１と比較して以下の部分において異なる洗浄処理ステップを有し、その他の部分において同一の洗浄処理ステップを有する。第１実施形態の除毛器具洗浄装置１と共通する構成については同一の符号を付して、その説明の一部または全部を省略する。
【００７８】
第１実施形態の除毛器具洗浄装置１は、除毛器具１００の洗浄を行なうとき、制御部１９が液体収容部２０に洗浄液３１を注入した後に除毛刃部１３０の内刃を往復振動動作させる制御を行なう。一方、第５実施形態の除毛器具洗浄装置１は、除毛器具１００の洗浄を行なうとき、制御部１９が液体収容部２０に洗浄液３１を注入するよりも前に除毛刃部１３０の内刃を往復振動動作させる制御を行なう。
【００７９】
図８を参照して、本実施形態における洗浄処理フローの概要を説明する。
除毛器具１００の洗浄を行なうとき、除毛器具洗浄装置１の使用者および制御部１９は、ステップＳ２１〜Ｓ２９の各ステップを順次実行する。
【００８０】
使用者は、ステップＳ２１〜Ｓ２３を順次実行する。使用者は、ステップＳ２１において、洗浄液タンク３０に洗浄液３１を注入する。使用者は、筐体１０を上方に持ち上げて取り出した洗浄液タンク３０に洗浄液３１を注入する。使用者は、ステップＳ２２において、開口３から除毛器具１００を洗浄槽２に挿入する。使用者は、ステップＳ２３において、操作部１３を操作して除毛器具洗浄装置１を始動させる。
【００８１】
除毛器具洗浄装置１が始動すると、制御部１９は、ステップＳ２４〜Ｓ２９を順次実行する。制御部１９は、ステップＳ２４において、除毛器具１００を制御して除毛刃部１３０が有する内刃を往復振動動作させる。制御部１９は、洗浄液３１を液体収容部２０に注液するよりも前に除毛刃部１３０の内刃を往復振動動作させる。除毛器具１００は、ヘッド部１２０が洗浄液３１に触れるよりも前の乾燥した状態で内刃の往復振動動作が行われる。制御部１９は、一定時間経過後に内刃の往復振動動作を停止させる。制御部１９は、ステップＳ２５において、洗浄液３１を液体収容部２０に注液させる制御を行なう。制御部１９は、排液弁５２を遮断状態に設定した後にポンプ３２を動作させる。制御部１９は、ステップＳ２６において、除毛器具１００を制御して除毛刃部１３０の内刃を振動動作させる。除毛器具１００は、ヘッド部１２０内に堆積している毛、除毛時に脱落した皮脂、および皮膚等を除去して洗浄液３１内に排出する。毛、皮脂、および皮膚等を含む洗浄液３１は、流れに沿ってオーバーフロー部２３から排出される。制御部１９は、ステップＳ２７において、液体収容部２０が貯留する洗浄液３１を排出する制御を行なう。制御部１９は、除毛器具１００の刃を振動動作および除毛器具洗浄装置１のポンプ３２の動作を停止させる制御を行なう。制御部１９は、排液弁５２を排液状態に設定することで、液体収容部２０が貯留する洗浄液３１を排液させる。制御部１９は、ステップＳ２８において、洗浄動作の終了を判定する。制御部１９は、ステップＳ２５〜ステップＳ２７から成る洗浄サイクルのサイクル回数があらかじめ決められた値に到達したかを判定する。ステップＳ２８の判定において、サイクル回数があらかじめ決められた値に到達していないとき、制御部１９は、ステップＳ２５〜ステップＳ２８を繰り返す制御を行なう。ステップＳ２８の判定において、サイクル回数があらかじめ決められた値に到達したとき、制御部１９は、ステップＳ２９において、除毛器具１００を乾燥させる制御を行なう。
【００８２】
本実施形態の洗浄処理ステップを有する除毛器具洗浄装置１は、第１実施形態の除毛器具洗浄装置１が奏する（１）および（２）と同様の効果を奏する。また、本実施形態の洗浄処理ステップを有する除毛器具洗浄装置１は、以下の効果を奏する。
【００８３】
（９）除毛器具洗浄装置１が除毛器具１００を洗浄するとき、制御部１９は、液体収容部２０に洗浄液３１を注入するよりも前に除毛刃部１３０が有する内刃を往復振動動作させる制御を行なう。このため、除毛器具洗浄装置１は、除毛器具１００を洗浄するとき、ヘッド部１２０が洗浄液３１に触れるよりも前の乾燥した状態で内刃を往復振動動作させることができる。このため、除毛器具１００は、ヘッド部１２０が乾燥している状態で堆積している毛、皮脂、および皮膚等を除去してヘッド部１２０から排出することができる。このため、除毛器具洗浄装置１は、液体収容部２０に洗浄液３１を注液した状態でのヘッド部１２０の洗浄動作において、洗浄液３１内に排出される毛、皮脂、および皮膚等を減少させることができる。このため、除毛器具洗浄装置１は、毛、皮脂、および皮膚等がヘッド部１２０に再付着することを抑制する効果をさらに高めることができる。
【００８４】
（その他の実施形態）
本除毛器具洗浄装置は、第１〜第５実施形態以外の実施形態を含む。以下、本除毛器具洗浄装置のその他の実施形態としての第１〜第５実施形態の変形例を示す。なお、以下の各変形例は、技術的に矛盾しない範囲において互いに組み合わせることもできる。
【００８５】
・第１〜第５実施形態の除毛器具洗浄装置は、除毛刃部１３０が外刃および内刃を有し、内刃が往復直線運動を行なう除毛器具１００を洗浄する。ただし、除毛器具１００の除毛刃部１３０の構成は、第１〜第５実施形態に例示された内容に限定されない。例えば、変形例の毛器具洗浄装置は、除毛刃部が外刃および内刃を有し、内刃が回転運動を行なう除毛器具を洗浄する。
【００８６】
・第１〜第５実施形態の除毛器具洗浄装置は、洗浄液３１として水を用いる。ただし、除毛器具洗浄装置が用いる洗浄液は、水に限定されない。例えば、変形例の毛器具洗浄装置は、洗浄液として洗浄剤を用いる。
【００８７】
・第３実施形態の除毛器具洗浄装置７０は、制御部１９が、第１洗浄期間と２洗浄期間を連続させて洗浄する制御を行なう。ただし、除毛器具洗浄装置の洗浄動作は、第３実施形態に例示される内容に限定されない。例えば、変形例の除毛器具洗浄装置は、制御部が、洗浄サイクル毎に第１洗浄期間と２洗浄期間を交互に実施する制御を行なう。
【００８８】
・第２実施形態の除毛器具洗浄装置６０は、ポンプ３２が２段階の駆動能力として、動作状態および停止状態を有し、噴出孔６２が洗浄液３１を間欠的に噴出する。ただし、ポンプが有する駆動能力は、第２実施形態に例示される内容に限定されない。例えば、変形例の除毛器具洗浄装置は、ポンプが２段階の駆動能力として、第１駆動能力および第２駆動能力を有し、噴出孔が異なる噴出力の洗浄液を交互に噴出する。
【００８９】
・第２実施形態の除毛器具洗浄装置６０は、ポンプ３２が２段階の駆動能力として、動作状態および停止状態を有し、噴出孔６２が洗浄液３１を間欠的に噴出する。ただし、ポンプが有する駆動能力は、第２実施形態に例示される内容に限定されない。例えば、変形例の除毛器具洗浄装置は、ポンプが３段階あるいは４段階以上の駆動能力を有し、噴出孔が３段階あるいは４段階以上の噴出力の洗浄液を順次噴出する。
【００９０】
・第５実施形態の除毛器具洗浄装置１は、除毛器具洗浄装置１の制御部１９が液体収容部２０に洗浄液３１を注入するよりも前に除毛刃部１３０が有する内刃を往復振動動作させる制御を行なう。ただし、制御部が制御する除毛器具洗浄装置は、第５実施形態に例示される内容に限定されない。例えば、変形例の除毛器具洗浄装置は、従来の除毛器具洗浄装置の構成であり、制御部は、除毛刃部が洗浄液に浸されるよりも前に除毛刃部が有する内刃を振動動作させる制御を行なう。
【００９１】
上記変形例の除毛器具洗浄装置は、第５実施形態の除毛器具洗浄装置１が奏する（９）と同様の効果を奏する。
【符号の説明】
【００９２】
１…除毛器具洗浄装置、２…洗浄槽、１９…制御部、２０…液体収容部、２３…オーバーフロー部、２４…オーバーフロー面、２５…液体排出空間、３０…洗浄液タンク、３１…洗浄液、３２…ポンプ、４０…注液部、６０…除毛器具洗浄装置、６１…噴出用流路、６２…噴出孔、７０…除毛器具洗浄装置、７１…上位オーバーフロー部、９０…除毛器具洗浄装置、９１…上位噴出用流路、９２…上位噴出孔、１００…除毛器具、１２０…ヘッド部、１３０…除毛刃部、１４０…トリマー部。
【図１】
2014230666.tif 000003
【図２】
2014230666.tif 000004
【図３】
2014230666.tif 000005
【図４】
2014230666.tif 000006
【図５】
2014230666.tif 000007
【図６】
2014230666.tif 000008
【図７】
2014230666.tif 000009
【図８】
2014230666.tif 000010